(57)【要約】【課題】接続ケーブルを接続する場合の作業性の低下を防止するケーブル固定具を提供すること。【解決手段】ケーブル固定具１５は、ケーブル本体部１４ｂの配置位置を背面１１ａ側に固定する。ケーブル固定具１５は、ケーブル本体部１４ｂの配置位置からはずれることが可能で、ケーブル本体部１４ｂの配置位置である例えば背面１１ａの投影面積内のような所望な位置（背面１１ａ側）に戻るような伸縮性を有している。またケーブル固定具１５は、ケーブル本体部１４ｂがケーブル固定具１５に自在に挿入し、ケーブル本体部１４ｂがケーブル固定具１５を自在に挿通し、ケーブル固定具１５の内部にケーブル本体部１４ｂを収納し、ケーブル本体部１４ｂを保持するような螺旋形状を有している。【選択図】      図１
2011091919.tif 000002
【特許請求の範囲】
【請求項１】
ユニットの背面に接続する接続部を有する接続ケーブルのケーブル本体部の配置位置を前記背面側に固定するケーブル固定具であって、
前記ケーブル本体部の配置位置からはずれることが可能で、前記ケーブル本体部の配置位置である前記背面側に戻るような伸縮性と、前記ケーブル本体部が自在に挿入し、前記ケーブル本体部が自在に挿通し、前記ケーブル本体部を収納し、前記ケーブル本体部を保持するような螺旋形状と、を具備することを特徴とするケーブル固定具。
【発明の詳細な説明】
【技術分野】
【０００１】
本発明は、ケーブルの配置位置を固定するケーブル固定具に関する。
【背景技術】
【０００２】
例えば図２に示すように、ラック１００には、ユニット１１０を有するシャーシ１２０がラック１００の正面１００ａ側から実装される。シャーシ１２０は、ユニット１１０がラック１００に収容された状態でラック１００の縁にネジ等の固定部材１３０によって固定される。図３に示すようにユニット１１０の背面１１０ａには、図示しない電源などのほかの部材とユニット１１０とを接続する接続ケーブル１４０が接続されている。接続ケーブル１４０は、ユニット１１０の背面１１０ａと接続する接続部１４０ａと、接続部１４０ａに連接しているケーブル本体部１４０ｂとから構成されている。
【０００３】
一般的に、ケーブル本体部１４０ｂは、帯状のケーブル固定具１５０によって縛られてユニット１１０の背面１１０ａに固定されている。このとき、ケーブル固定具１５０は、固定効率の観点から、背面１１０ａの投影面積内にケーブル本体部１４０ｂを固定する。またケーブル固定具１５０は、例えば背面１１０ａに固定されている。なおケーブル固定具１５０は、ユニット１１０とシャーシ１２０とを正面から見た際に、これらの投影面積内に固定されることが多い。そのためケーブル固定具１５０は、例えばユニット１１０の側面１１０ｂに固定されてもよい。またケーブル固定具１５０は、例えばラック１００の背面１００ｂに固定されてもよい。
【０００４】
例えば特許文献１には、ラック状等の筐体に収納された電子機器の外部接続装置に外部からの配線ケーブルを接続する際の作業効率を高め、取付け後は外部接続装置の保護が図られる可動式外部接続装置が開示されている。
【０００５】
また例えば特許文献２には、複数のユニットで構成され、その各々のユニットを接続ケーブルを介して接続する構造の電子機器の筐体において、振付面積及び作業空間を小さくする筐体構造が開示されている。
【先行技術文献】
【特許文献】
【０００６】
【特許文献１】特開平９−１４８０００号公報
【特許文献２】特開平１０−６４６２９号公報
【発明の概要】
【発明が解決しようとする課題】
【０００７】
図３において、例えばケーブル固定具１５０が背面１１０ａに固定され、ケーブル本体部１４０ｂがケーブル固定具１５０によって背面１１０ａに固定された後に、接続部１４０ａが背面１１０ａに接続するとする。  
接続部１４０ａが背面１１０ａに接続する際に、ケーブル本体部１４０ｂがケーブル固定具１５０によって背面１１０ａに固定されているために接続部１４０ａにおける自由度が減る。これにより背面１１０ａに接続ケーブル１４０（接続部１４０ａ）を接続するための作業性が低下してしまう。
【０００８】
また図３において、例えば接続部１４０ａが背面１１０ａに接続し、ケーブル固定具１５０が背面１１０ａに固定された後に、ケーブル本体部１４０ｂがケーブル固定具１５０によって背面１１０ａに固定されるとする。  
接続部１４０ａが背面１１０ａに接続すると、ケーブル本体部１４０ｂは垂れ下がり背面１１０ａの投影面積内に配置される。そのためケーブル固定具１５０を背面１１０ａに固定する際に、ケーブル本体部１４０ｂが邪魔となり、背面１１０ａにケーブル固定具１５０を固定する作業が面倒になる。つまり背面１１０ａにケーブル固定具１５０を固定するための作業性が低下してしまう。
【０００９】
また上述した作業性の低下を考慮して、例えば、ケーブル固定具１５０が背面１１０ａに固定され、接続部１４０ａが背面１１０ａに接続した後に、ケーブル本体部１４０ｂがケーブル固定具１５０によって背面１１０ａに固定されるとする。  
しかしながらこの場合、ケーブル固定具１５０が背面１１０ａに固定された状態で、ケーブル固定具１５０がケーブル本体部１４０ｂを背面１１０ａに固定する必要があり、背面１１０ａにケーブル本体部１４０ｂを固定するための作業性が低下してしまう。
【００１０】
このように接続ケーブル１４０を接続する場合、作業性が低下してしまう。
【００１１】
そのため本発明は、上記事情に鑑み、接続ケーブルを接続する場合の作業性の低下を防止するケーブル固定具を提供することを目的とする。
【課題を解決するための手段】
【００１２】
本発明は目的を達成するために、ユニットの背面に接続する接続部を有する接続ケーブルのケーブル本体部の配置位置を前記背面側に固定するケーブル固定具であって、前記ケーブル本体部の配置位置からはずれることが可能で、前記ケーブル本体部の配置位置である前記背面側に戻るような伸縮性と、前記ケーブル本体部が自在に挿入し、前記ケーブル本体部が自在に挿通し、前記ケーブル本体部を収納し、前記ケーブル本体部を保持するような螺旋形状と、を具備することを特徴とするケーブル固定具を提供する。
【発明の効果】
【００１３】
本発明によれば、接続ケーブルを接続する場合の作業性の低下を防止するケーブル固定具を提供することができる。
【図面の簡単な説明】
【００１４】
【図１】図１は、実施形態において、ケーブル固定具を備えたラックの斜視図である。
【図２】図２は、一般的なラックを正面側から見た斜視図である。
【図３】図３は、図２を背面側からみた斜視図であり、一般的なケーブル固定具によってケーブルをユニットの背面に固定している状態を示す図である。
【発明を実施するための形態】
【００１５】
以下、図１を参照して本発明の実施形態について詳細に説明する。  
ラック１０には、ユニット１１を有する図示しないシャーシがラック１０の正面１０ａ側から実装される。シャーシは、ユニット１１がラック１０に収容された状態でラック１０の縁にネジ等の図示しない固定部材によって固定される。図１に示すようにユニット１１の背面１１ａには、図示しない電源などのほかの部材とユニット１１とを接続する接続ケーブル１４が接続している。接続ケーブル１４は、ユニット１１の背面１１ａと接続するコネクタである接続部１４ａと、接続部１４ａに連接しているケーブル本体部１４ｂとから構成されている。ケーブル本体部１４ｂは、固定効率の観点から、配置位置を、ケーブル固定具１５によって例えば背面１１ａの投影面積内のような所望な位置に固定されている。
【００１６】
このケーブル固定具１５は、上述したように接続ケーブル１４（ケーブル本体部１４ｂ）の配置位置を例えば背面１１ａの投影面積内のような所望な位置（背面側）に固定する。簡略に述べると、ケーブル固定具１５は、接続ケーブル１４（ケーブル本体部１４ｂ）の配置位置を背面１１ａ側に固定する。またケーブル固定具１５は、ラック１０の内周面１０ｃに直接固定される。より詳細には、ケーブル固定具１５の両端は例えば対向し合う内周面１０ｃにそれぞれ直接固定し、ケーブル固定具１５は背面１１ａの例えば長辺方向（ラック１０の幅方向）に沿って一直線状となるようにラック１０に配設される。このときケーブル固定具１５は、背面１１ａの投影面積内のような所望な位置に配置されている。ケーブル固定具１５は、所望な太さを有する金属によって形成されている。ケーブル固定具１５は、例えばコイルバネである。
【００１７】
またケーブル固定具１５は、伸縮性があり、螺旋形状を有している。  
より詳細には、ケーブル固定具１５は、接続ケーブル１４（接続部１４ａ）が背面１１ａに接続する際にケーブル固定具１５が接続ケーブル１４（ケーブル本体部１４ｂ）の邪魔にならないような例えば背面１１ａの投影面積外などの所望な位置にずれ、つまりケーブル本体部１４の配置位置からはずれることが可能で、接続ケーブル１４（接続部１４ａ）が背面１１ａに接続した後において接続ケーブル１４（ケーブル本体部１４ｂ）の配置位置である例えば背面１１ａの投影面積内のような所望な位置（背面１１ａ側）に戻るような伸縮性を有している。  
またケーブル固定具１５は、接続ケーブル１４（ケーブル本体部１４ｂ）がケーブル固定具１５に自在に挿入し、接続ケーブル１４（ケーブル本体部１４ｂ）がケーブル固定具１５を自在に挿通し、ケーブル固定具１５の内部に接続ケーブル１４（ケーブル本体部１４ｂ）を収納し、接続ケーブル１４（ケーブル本体部１４ｂ）を保持するような螺旋形状を有している。言い換えると、ケーブル固定具１５は、接続ケーブル１４（ケーブル本体部１４ｂ）が挿通可能なルートとなり、接続ケーブル１４（ケーブル本体部１４ｂ）を巻いている。
【００１８】
ケーブル固定具１５は、接続ケーブル１４（ケーブル本体部１４ｂ）が螺旋形状の螺旋部１５ａのどの部分からでも挿入可能となるように構成されている。一方の内周面１０ｃから他方の内周面１０ｃまでのケーブル固定具１５の長さは、接続ケーブル１４（ケーブル本体部１４ｂ）の長さに応じて所望に調整されている。
【００１９】
またケーブル固定具１５が接続ケーブル１４（ケーブル本体部１４ｂ）を収納し接続ケーブル１４（ケーブル本体部１４ｂ）を保持している際、ケーブル固定具１５は、例えば背面１１ａの投影面積外などの位置にまで弛まずに、例えば背面１１ａの投影面積内などの所望な位置（背面１１ａ側）に位置する弾力性を有している。またケーブル固定具１５が接続ケーブル１４（ケーブル本体部１４ｂ）を収納しておらず接続ケーブル１４（ケーブル本体部１４ｂ）を保持していない際も、ケーブル固定具１５は例えば背面１１ａの投影面積内などの所望な位置（背面１１ａ側）に位置する弾力性を有している。この弾力性は、必要に応じて調整可能である。
【００２０】
次に本実施形態の動作方法について説明する。  
ユニット１１を有するシャーシがラック１０の正面１０ａ側からラック１０に実装される。ケーブル固定具１５は、例えば内周面１０ｃに固定される。  
ケーブル固定具１５が内周面１０ｃに固定された際、ケーブル固定具１５は、弾力性によって、例えば背面１１ａの投影面積内のような所望な位置に位置している。つまりケーブル固定具１５は、弾力性によって、背面１１ａ側に配置される。
【００２１】
次に接続ケーブル１４（接続部１４ａ）は、ユニット１１の背面１１ａに接続する。このときケーブル本体部１４ｂは、垂れ下がり、例えば背面１１ａの投影面積内に位置する。  
また接続ケーブル１４（接続部１４ａ）が背面１１ａに接続する際、ケーブル固定具１５は、伸縮性によって、例えば背面１１ａの投影面積内のような所望な位置（背面１１ａ側）から接続ケーブル１４（接続部１４ａ）が背面１１ａに接続する際に接続の邪魔にならないような例えば背面１１ａの投影面積外などの所望な位置にずらすことができる。つまり、ケーブル固定具１５は、接続ケーブル１４（ケーブル本体部１４ｂ）の背面１１ａへの接続の邪魔にならないよう、言い換えると接続ケーブル１４（ケーブル本体部１４ｂ）に干渉しないように伸縮する。
【００２２】
接続ケーブル１４（接続部１４ａ）が背面１１ａに接続した後、ケーブル固定具１５は、伸縮性によって、接続ケーブル１４（ケーブル本体部１４ｂ）の配置位置である例えば背面１１ａの投影面積内のような所望な位置に戻る。つまりケーブル固定具１５は、伸縮性によって、背面１１ａ側に戻る。
【００２３】
このとき接続ケーブル１４（接続部１４ａ）は、ケーブル固定具１５の螺旋部１５ａの外側に配置されている。また接続ケーブル１４（ケーブル本体部１４ｂ）は、螺旋形状のケーブル固定具１５の例えば螺旋部１５ａから挿入し、及び折れ曲がってケーブル固定具１５の螺旋の中をケーブル固定具１５の長手方向（背面１１ａの長辺方向）に沿って挿通し、ケーブル固定具１５に収納され、ケーブル固定具１５に保持される。
【００２４】
このときケーブル固定具１５は、弾力性によって、例えば背面１１ａの投影面積外などの所望な位置にまで弛まずに、接続ケーブル１４（ケーブル本体部１４ｂ）を螺旋部１５ａ内に収納保持した状態で、例えば背面１１ａの投影面積内などの所望な位置に位置する。つまりケーブル固定具１５は、接続ケーブル１４（ケーブル本体部１４ｂ）を収納保持していても、弾力性によって、背面１１ａ側の所望な位置に配置される。このように接続ケーブル１４（ケーブル本体部１４ｂ）は、ケーブル固定具１５によって保持されているために、例えば背面１１ａの投影面積内などの所望な位置（背面１１ａ側）に配置位置を固定される。
【００２５】
このように本実施形態では、ケーブル固定具１５が内周面１０ｃに固定され、接続ケーブル１４（接続部１４ａ）が背面１１ａに接続した後に、ケーブル固定具１５によって接続ケーブル１４（ケーブル本体部１４ｂ）を収納保持することで、接続ケーブル１４（ケーブル本体部１４ｂ）の配置位置を例えば背面１１ａの投影面積内のような所望な位置（背面１１ａ側）に固定することができる。これにより本実施形態では、背面１１ａ側に接続ケーブル１４（ケーブル本体部１４ｂ）の配置位置を固定するための作業性が低下してしまうことを防止することができる。よって本実施形態では、接続ケーブル１４を接続する場合の作業性の低下を防止することができる。
【００２６】
また本実施形態では、ケーブル固定具１５が螺旋形状を有しているため、接続ケーブル１４（ケーブル本体部１４ｂ）を螺旋部１５ａからケーブル固定具１５に自在且つ容易に挿入することができ、接続ケーブル１４（ケーブル本体部１４ｂ）をケーブル固定具１５に容易に挿通でき、接続ケーブル１４（ケーブル本体部１４ｂ）をケーブル固定具１５に容易に収納でき、接続ケーブル１４（ケーブル本体部１４ｂ）をケーブル固定具１５に容易に保持させることができる。
【００２７】
よって本実施形態では、ケーブル固定具１５が内周面１０ｃに固定された状態であっても、ケーブル固定具１５が伸縮性のある螺旋形状を有しているために、ケーブル固定具１５が接続ケーブル１４（ケーブル本体部１４ｂ）を容易に収納保持することができ、接続ケーブル１４（ケーブル本体部１４ｂ）の配置位置を例えば背面１１ａの投影面積内のような所望な位置（背面１１ａ側）に固定することができる。そして本実施形態では、結果的にケーブル固定具１５によって接続ケーブル１４（ケーブル本体部１４ｂ）を背面１１ａに固定する必要がないために、接続ケーブル１４を接続する場合の、作業性の低下を防止することができる。
【００２８】
また本実施形態では、ケーブル固定具１５が螺旋形状を有し、上述したように接続ケーブル１４（ケーブル本体部１４ｂ）をケーブル固定具１５に容易に収納し、容易に保持させているために、接続ケーブル１４（ケーブル本体部１４ｂ）がユニット１１の邪魔になることを防止することができる。
【００２９】
また本実施形態では、ケーブル固定具１５が伸縮性を有しているため、接続ケーブル１４（接続部１４ａ）が背面１１ａに接続する際、例えば背面１１ａの投影面積内のような所望な位置（背面１１ａ側）から、接続ケーブル１４（接続部１４ａ）が背面１１ａに接続する際にケーブル固定具１５が接続ケーブル１４（ケーブル本体部１４ｂ）の邪魔にならないような例えば背面１１ａの投影面積外などの所望な位置に、ケーブル固定具１５をずらすことができる。これにより本実施形態では、接続ケーブル１４（接続部１４ａ）が背面１１ａに接続する際、ケーブル固定具１５が接続ケーブル１４（ケーブル本体部１４ｂ）の邪魔になることを防止することができる。
【００３０】
また本実施形態では、ケーブル固定具１５の伸縮性によって、接続ケーブル１４（接続部１４ａ）が背面１１ａに接続した後において接続ケーブル１４（ケーブル本体部１４ｂ）の配置位置である例えば背面１１ａの投影面積内のような所望な位置（背面１１ａ側）にケーブル固定具１５を戻すことができ、さらに接続ケーブル１４（ケーブル本体部１４ｂ）を容易にケーブル固定具１５に挿入及び挿通でき、接続ケーブル１４（ケーブル本体部１４ｂ）を容易にケーブル固定具１５に収納及び保持させることができる。
【００３１】
また本実施形態では、ケーブル固定具１５の弾力性によって、ケーブル本体部１４ｂをケーブル固定具１５にて収納保持している際であっても、ケーブル本体部１４ｂの配置位置を例えば背面１１ａの投影面積内などの所望な位置（背面１１ａ側）に固定することができる。また本実施形態では、ケーブル固定具１５の弾力性を調整することで、接続ケーブル１４（ケーブル本体部１４ｂ）の配置位置を所望な位置に固定することができる。
【００３２】
また本実施形態では、ケーブル固定具１５を内周面１０ｃに直接固定しているために、ケーブル固定具１５の配設位置がずれることが無く、接続ケーブル１４（ケーブル本体部１４ｂ）を容易に螺旋部１５ａからケーブル固定具１５に挿入することができる。
【００３３】
このように本実施形態では、背面１１ａに接続ケーブル１４（ケーブル本体部１４ｂ）の配置位置を固定するための作業性が低下してしまうことを防止することができる。よって本実施形態では、接続ケーブル１４を接続する場合の作業性の低下を防止することができる。
【００３４】
また本実施形態では、接続ケーブル１４（接続部１４ａ）を背面１１ａから抜去して接続を解除する際、上述したようにケーブル固定具１５が接続解除の邪魔にならないような例えば背面１１ａの投影面積外などの所望な位置にケーブル固定具１５を伸縮性によってずらすことで、ケーブル固定具１５が邪魔にならず容易に接続を解除することができる。また本実施形態では、ケーブル固定具１５が螺旋形状を有しているために、ケーブル固定具１５から容易に接続ケーブル１４（ケーブル本体部１４ｂ）を抜去することができる。  
このように本実施形態では、背面１１ａから接続ケーブル１４（接続部１４ａ）を抜去し、ケーブル固定具１５から接続ケーブル１４（ケーブル本体部１４ｂ）を抜去するための作業も容易に行うことができ、接続ケーブル１４の接続を解除する場合の作業性の低下も防止することができる。
【００３５】
また本実施形態では、ケーブル固定具１５によって接続ケーブル１４（ケーブル本体部１４ｂ）を保持でき、接続ケーブル１４（ケーブル本体部１４ｂ）を縛った状態で背面１１ａに固定する必要がない。よって本実施形態では、背面１１ａに対する接続ケーブル１４（接続部１４ａ）の接続を解除すれば、ケーブル固定具１５によって接続ケーブル１４（ケーブル本体部１４ｂ）を保持した状態で、ユニット１１をラック１０から自在に抜き取ることができる。また本実施形態では、この状態で、新たなユニット１１をラック１０に実装した際に、接続ケーブル１４（ケーブル本体部１４ｂ）がケーブル固定具１５によって保持されているために、接続ケーブル１４（接続部１４ａ）を素早く背面１１ａに接続でき、接続ケーブル１４を接続する場合の作業性を向上することができる。またこのとき、接続ケーブル１４（ケーブル本体部１４ｂ）がケーブル固定具１５に保持されたままであるため、接続ケーブル１４（接続部１４ａ）を背面１１ａに接続するのみでよいために、作業を簡略化することができ、作業時間の短縮を測ることができる。
【００３６】
なお例えば上述したようにケーブル固定具１５０が背面１１０ａに固定され、接続ケーブル１４０（ケーブル本体部１４０ｂ）がケーブル固定具１５０によって背面１１０ａに固定された後に、接続ケーブル１４０（接続部１４０ａ）が背面１１０ａに接続するとする。  
一般には、上述したように接続ケーブル１４０（接続部１４０ａ）が背面１１０ａに接続する際に、接続ケーブル１４０（ケーブル本体部１４０ｂ）がケーブル固定具１５０によって背面１１０ａに固定されているために接続ケーブル１４０（接続部１４０ａ）における自由度が減る。これにより背面１１０ａに接続ケーブル１４０（接続部１４０ａ）を接続するための作業性が低下してしまう。  
このような場合、本実施形態では、ケーブル固定具１５は、接続部１４ａがケーブル固定具１５を挿通でき、接続部１４ａが螺旋部１５ａから自在に抜き出るような大きさを有していればよい。そして本実施形態では、ケーブル固定具１５がこのような螺旋形状を有しているため、接続ケーブル１４（接続部１４ａ）がケーブル固定具１５に容易且つ自在に挿通でき、接続ケーブル１４（接続部１４ａ）をケーブル固定具１５の螺旋部１５ａから自在に抜き出すことができる。また本実施形態では、ケーブル固定具１５がこのような大きさの螺旋形状を有しているため、接続ケーブル１４（接続部１４ａ）をケーブル固定具１５の螺旋部１５ａからどこからでも抜き出すことができる。
【００３７】
これにより本実施形態では、接続ケーブル１４（ケーブル本体部１４ｂ）が螺旋形状のケーブル固定具１５によって例えば背面１１ａの投影面積内のような所望な位置（背面１１ａ側）に配置位置を固定されても、ケーブル固定具１５が伸縮性を有し、接続ケーブル１４（接続部１４ａ）をケーブル固定具１５の螺旋部１５ａからどこからでも抜き出すことができるため、接続ケーブル１４（接続部１４ａ）における自由度を確保でき、背面１１ａに接続ケーブル１４（接続部１４ａ）を接続するための作業性の低下を防止することができる。よって本実施形態では、接続ケーブル１４を接続する場合の作業性の低下を防止することができる。
【００３８】
またこれにより本実施形態は、どのような長さを有する接続ケーブル１４（ケーブル本体部１４ｂ）であってもケーブル固定具１５に対応させることができる。  
また本実施形態では、この場合、予め、接続ケーブル１４（ケーブル本体部１４ｂ）を螺旋部１５ａからケーブル固定具１５に挿入しておいてもよい。
【００３９】
また例えば、上述したように接続ケーブル１４０（接続部１４０ａ）が背面１１０ａに接続し、ケーブル固定具１５０が背面１１０ａに固定された後に、接続ケーブル１４０（ケーブル本体部１４０ｂ）がケーブル固定具１５０によって背面１１０ａに固定されるとする。  
一般には上述したように、ケーブル固定具１５０を背面１１０ａに固定する際に、接続ケーブル１４０（ケーブル本体部１４０ｂ）が邪魔となり、背面１１０ａにケーブル固定具１５０を固定する作業が面倒になる。つまり背面１１０ａにケーブル固定具１５０を固定するための作業性が低下してしまう。  
しかしながら本実施形態では、このような場合であっても、ケーブル固定具１５が伸縮性を有しているため、ケーブル固定具１５を内周面１０ｃに固定する際、ケーブル固定具１５を例えば背面１１ａの投影面積内のような所望な位置から、接続ケーブル１４（ケーブル本体部１４ｂ）がケーブル固定具１５の邪魔にならないように例えば背面１１ａの投影面積外などの所望な位置にずらすことができる。言い換えると、本実施形態では、ケーブル固定具１５の伸縮性によって、接続ケーブル１４（ケーブル本体部１４ｂ）が配置する背面１１ａの投影面積内を避けるように伸びた状態で、ケーブル固定具１５を内周面１０ｃに固定することができる。これにより本実施形態では、ケーブル固定具１５を内周面１０ｃに固定する際、接続ケーブル１４（ケーブル本体部１４ｂ）がケーブル固定具１５の邪魔になることを防止することができる。
【００４０】
これにより本実施形態では、接続ケーブル１４（ケーブル本体部１４ｂ）が邪魔とならず、内周面１０ｃにケーブル固定具１５を固定する作業が面倒にならず、内周面１０ｃにケーブル固定具１５を固定するための作業性の低下が防止される。よって本実施形態では、接続ケーブル１４を接続する場合の作業性の低下を防止することができる。
【００４１】
またこの場合、本実施形態では、ケーブル固定具１５が螺旋形状を有しているため、接続ケーブル１４（ケーブル本体部１４ｂ）を螺旋部１５ａからケーブル固定具１５に自在且つ容易に挿入することができ、接続ケーブル１４（ケーブル本体部１４ｂ）をケーブル固定具１５に容易に挿通でき、接続ケーブル１４（ケーブル本体部１４ｂ）をケーブル固定具１５に容易に収納でき、接続ケーブル１４（ケーブル本体部１４ｂ）をケーブル固定具１５に容易に保持させることができる。
【００４２】
このように本実施形態では、ケーブル固定具１５を内周面１０ｃに固定するタイミングは、ケーブル固定具１５に伸縮性と螺旋形状とを付与しているために、接続ケーブル１４（接続部１４ａ）が背面１１ａに接続する前であっても、接続ケーブル１４（接続部１４ａ）が背面１１ａに接続した後であってもよく、いずれにせよ接続ケーブル１４を接続する場合の作業性の低下を防止することができる。
【００４３】
なお本実施形態では、ケーブル固定具１５を内周面１０ｃに直接固定しているが、これに限定する必要はなく、ラック１０に配設されているフックなどの引っ掛け部材によって引っ掛かることで間接的にラック１０に配設されてもよい。これにより本実施形態では、ケーブル固定具１５を容易にラック１０に配設することができる。
【００４４】
また本実施形態では、接続ケーブル１４（ケーブル本体部１４ｂ）を、螺旋形状のケーブル固定具１５の螺旋部１５ａからケーブル固定具１５に挿入、つまり巻いているケーブル固定具１５のケーブルの間（螺旋部１５ａ）からケーブル固定具１５に挿入しているが、これに限定する必要はない。本実施形態では、ケーブル固定具１５の長手方向（背面１１ａの長辺方向、ラック１０の幅方向）に沿って螺旋の中を挿通するように、例えば背面１１ａの長辺方向においてケーブル固定具１５の一端からケーブル固定具１５に挿入されてもよい。なおこの点は、接続ケーブル１４（接続部１４ａ）がケーブル固定具１５から抜き出す時についても同様である。つまり本実施形態では、接続ケーブル１４（接続部１４ａ）をケーブル固定具１５のケーブルの間（螺旋部１５ａ）から抜き出してもよいし、例えば背面１１ａの長辺方向（ラック１０の幅方向）においてケーブル固定具１５の一端から抜き出してもよい。
【００４５】
また本実施形態では、ケーブル固定具１５を、背面１１ａの長辺方向（ラック１０の幅方向）に沿って一直線状となるようにラック１０に配設しているが、これに限定する必要はない。本実施形態では、ケーブル固定具１５が伸縮性と螺旋形状と弾力性とを有することができ、上述した効果を奏することができれば、ケーブル固定具１５を例えば背面１１ａの短辺方向（ラック１０の高さ方向）に沿って一直線状となるようにラック１０に配設してもよい。このように本実施形態では、ケーブル固定具１５の配設位置は、特に限定されない。
【００４６】
また本実施形態では、ケーブル固定具１５が伸縮性と螺旋形状と弾力性とを有することができ、ケーブル本体部１４ｂがケーブル固定具１５によって収納保持されている際に、ケーブル本体部１４ｂの配置位置を例えば背面１１ａの投影面積内などの所望な位置（背面１１ａ側）に固定することができるといったような上述した効果を奏することができれば、ケーブル固定具１５を挿通する接続ケーブル１４（ケーブル本体部１４ｂ）の数は特に限定されない。
【００４７】
（付記１）  
ユニットの背面に接続する接続部を有する接続ケーブルのケーブル本体部の配置位置を前記背面側に固定するケーブル固定具であって、
前記ケーブル本体部の配置位置からはずれることが可能で、前記ケーブル本体部の配置位置である前記背面側に戻るような伸縮性と、前記ケーブル本体部が自在に挿入し、前記ケーブル本体部が自在に挿通し、前記ケーブル本体部を収納し、前記ケーブル本体部を保持するような螺旋形状と、を具備することを特徴とするケーブル固定具。
【００４８】
（付記２）    
前記ケーブル本体部を収納し保持している際、所望な位置にまで弛まずに、前記背面側に位置する弾力性と、前記ケーブル本体部を収納しておらず保持していない際、前記背面側に位置する弾力性とを有していることを特徴とする付記１に記載のケーブル固定具。
【００４９】
（付記３）  
前記ユニットが実装されているラックに直接固定されている、または前記ラックに配設されている引っ掛け部材によって引っ掛かることで間接的に前記ラックに配設されていることを特徴とする付記１に記載のケーブル固定具。
【００５０】
（付記４）  
前記接続部が挿通し、前記接続部がケーブル固定具における螺旋部から自在に抜き出るような大きさを有することを特徴とする付記１に記載のケーブル固定具。
【００５１】
本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。
【符号の説明】
【００５２】
１０…ラック、１０ａ…正面、１０ｃ…内周面、１１…ユニット、１１ａ…背面、１４…接続ケーブル、１４ａ…接続部、１４ｂ…ケーブル本体部、１５…ケーブル固定具、１５ａ…螺旋部。
【図１】
2011091919.tif 000003
【図２】
2011091919.tif 000004
【図３】
2011091919.tif 000005